(57)【要約】【課題】エアバックの着脱が容易に行え、作業性および経済性に優れたマッサージチェアを提供する。【解決手段】本発明のマッサージチェア１は、座部２と、背もたれ部４と、マッサージ手段とを備え、背もたれ部４は、基体となるバックパネルと、バックパネルを覆うカバー部材１５とを有している。マッサージ手段は、空気の給排によって膨縮動して、座部２に着座した施療者の身体部位を押圧マッサージするエアバック１０Ａ，１０Ｂを有し、カバー部材１５には、エアバック１０Ａ，１０Ｂを挿脱自在に収納するための収納部が設けられている。【選択図】図１
2011104090.tif 000002
【特許請求の範囲】
【請求項１】
座部と、背もたれ部と、マッサージ手段とを備えるマッサージチェアであって、
前記背もたれ部は、バックパネルと、バックパネルを覆うカバー部材とを有し、
前記マッサージ手段は、空気の給排によって膨縮動して、座部に着座した施療者の身体部位を押圧マッサージするエアバックを有し、
前記カバー部材には、前記エアバックを挿脱自在に収納するための収納部が設けられていることを特徴とするマッサージチェア。
【請求項２】
前記収納部は、エアバックを収納可能な袋体であり、前記袋体は、前記カバー部材の外側領域に面するその外側縁部が所定の長さにわたって前記カバー部材に接合され、その接合部を動作軸として内側領域から外側領域へ回動可能であることを特徴とする請求項１に記載のマッサージチェア。
【請求項３】
前記カバー部材を前記バックパネルに対して着脱自在に取り付けるための取り付け手段を更に備えることを特徴とする請求項１又は２に記載のマッサージチェア。
【請求項４】
前記取り付け手段は、前記カバー部材に固着され且つ複数のスリットを有するストリップと、前記バックパネルに設けられ且つ前記ストリップのスリットが引っ掛けられる複数のフックとから成ることを特徴とする請求項１ないし３のいずれか１項に記載のマッサージチェア。
【請求項５】
前記座部には、前記エアバックを挿脱自在に収納するための第２の収納部が設けられていることを特徴とする請求項１ないし４のいずれか１項に記載のマッサージチェア。
【発明の詳細な説明】
【技術分野】
【０００１】
本発明はマッサージチェアに関する。
【背景技術】
【０００２】
従来から知られているマッサージチェアは、一般に、座部と背もたれ部とを備えており、施療者が座部に腰掛けて背もたれ部に背中を当てた状態で座部や背もたれ部に組み込まれるマッサージユニットを作動させることによって身体の所定の部位に対して施療を施すことが可能となっている（例えば、特許文献１参照）。
【０００３】
前記マッサージユニットは、通常は、背もたれ部に設けられて転動および揺動するマッサージローラから成り、施療者の首から臀部近くの腰部にわたってマッサージを施すようになっているが、最近では、空気の給排によって膨縮動することにより所定の身体部位を押圧マッサージするエアバックと称される空気袋状のマッサージユニットも知られている（例えば、特許文献２参照）。
【先行技術文献】
【特許文献】
【０００４】
【特許文献１】特開２００６−３２５６４５号公報
【特許文献２】特開２００６−１８７４７８号公報
【発明の概要】
【発明が解決しようとする課題】
【０００５】
しかしながら、従来のエアバックは、背もたれ部などのチェアを構成する基体（バックパネルとも称する）に対してアンカークリップなどの固定具を用いて個別に取り付けられているため、取り付け作業やメンテナンス作業（エアバックの着脱操作）が煩雑であるとともに、取り付け穴や固定具などの加工や製造も必要となり、製造コストが高くなるという問題がある。
【０００６】
本発明は、上記した事情に着目してなされたものであり、その目的とするところは、エアバックの着脱が容易に行え、作業性および経済性に優れたマッサージチェアを提供することにある。
【課題を解決するための手段】
【０００７】
前記課題を解決するために、請求項１に記載の発明は、座部と、背もたれ部と、マッサージ手段とを備えるマッサージチェアであって、前記背もたれ部は、バックパネルと、バックパネルを覆うカバー部材とを有し、前記マッサージ手段は、空気の給排によって膨縮動して、座部に着座した施療者の身体部位を押圧マッサージするエアバックを有し、前記カバー部材には、前記エアバックを挿脱自在に収納するための収納部が設けられていることを特徴とする。
【０００８】
この請求項１に記載の発明によれば、カバー部材の収納部にエアバックを挿入するだけで背もたれ部に対してエアバックを取り付けることができるため、エアバックの装着が容易に行える（エアバックの組み付け作業性が優れる）。また、上記構成によれば、バックパネルではなく、バックパネルを覆うカバー部材にエアバック用の収納部が設けられているため、エアバックの取り付けのための加工をバックパネルに施す必要がなく、また、エアバックのための固定具も不要となるため、マッサージチェアの製造コストを低く抑えることも可能となり、経済性にも優れる。
【０００９】
また、請求項２に記載の発明においては、前記収納部は、エアバックを収納可能な袋体であり、前記袋体は、前記カバー部材の外側領域に面するその外側縁部が所定の長さにわたって前記カバー部材に接合され、その接合部を動作軸として内側領域から外側領域へ回動可能であることを特徴とする。
【００１０】
請求項２に記載の発明によれば、請求項１に記載の発明と同様の作用効果が得られるとともに、収納部が、カバー部材の外側領域に面するその外側縁部が所定の長さにわたって接合される袋体によって構成されるため、収納部を簡単且つ安価に実現できるとともに、内側領域から外側領域へのエアバックの動き（回動する動き）を簡単且つ効果的に行なうことができる。
【００１１】
また、請求項３に記載の発明においては、前記カバー部材を前記バックパネルに対して着脱自在に取り付けるための取り付け手段を更に備えることを特徴とする。
【００１２】
請求項３に記載の発明によれば、請求項１又は２に記載の発明と同様の作用効果が得られるとともに、着脱自在な前記取り付け手段によって、バックパネルに対するカバー部材の取り付け及び取り外しが可能に行えるようになる。また、取り付け手段による取り付けによってバックパネルに対してカバー部材を安定的に保持させることが可能となる。
【００１３】
また、請求項４に記載の発明においては、前記取り付け手段は、前記カバー部材に固着され且つ複数のスリットを有するストリップと、前記バックパネルに設けられ且つ前記ストリップのスリットが引っ掛けられる複数のフックとから成ることを特徴とする。
【００１４】
請求項４に記載の発明によれば、請求項１ないし３のいずれか１項に記載の発明と同様の作用効果が得られるとともに、ストリップのスリットをフックに引っ掛けるだけでカバー部材をバックパネルに取り付けることができるため、バックパネルに対するカバー部材の装着が容易に行える。
【００１５】
また、請求項５に記載の発明は、前記座部には、前記エアバックを挿脱自在に収納するための第２の収納部が設けられていることを特徴とする。
【００１６】
請求項５に記載の発明によれば、請求項１ないし請求項４のいずれか１項に記載の発明と同様の作用効果が得られるとともに、施療者の背中や腰に加えて腿部もマッサージすることができ、多面的なマッサージ作用を与えることができる。また、請求項１と同様、座部の収納部にエアバックを挿入するだけで座部に対してエアバックを取り付けることが可能となるため、エアバックの組み付け作業性が優れる。更に、エアバックのための固定具も不要となるため、マッサージチェアの製造コストを低く抑えることも可能となり、経済性にも優れる。
【発明の効果】
【００１７】
本発明によれば、マッサージユニットを構成するエアバックの着脱が容易に行え、作業性および経済性に優れたマッサージチェアが得られる。
【図面の簡単な説明】
【００１８】
【図１】本発明の一実施形態に係るマッサージチェアの概略斜視図である。
【図２】カバー部材が装着されたバックパネルを裏側から見た斜視図である。
【図３】（ａ）は図１のマッサージチェアの背もたれ部のバックパネルの表側に装着されるカバー部材を裏側から見た平面図、（ｂ）はカバー部材の収納部付近の要部拡大図である。
【図４】背もたれ部のバックパネルを露出させた状態を示すマッサージチェアの要部の概略斜視図である。
【図５】多数のフックが設けられたバックパネルの背面斜視図である。
【図６】バックパネルに対するカバー部材の取り付け形態を詳しく示した要部拡大斜視図である。
【図７】座部に設けられる腿部エアバックおよび収納部を示す平面図である。
【発明を実施するための形態】
【００１９】
以下、添付図面を参照して、本発明の一実施形態について説明する。  
図１に示されるように、本発明の一実施形態に係るマッサージチェア１は、施療者が着座する座部２と、座部２に着座した施療者の背中を支持するよう座部２の後方に設けられた背もたれ部４と、座部２の両側に設けられ且つ所定の高さを有する肘掛部３と、座部２の前方に設けられ且つ座部２に着座した施療者の両脚部を保持する脚保持部５とを備えている。
【００２０】
また、マッサージチェア１を構成するこれらの各構成要素２，３，４，５には、従来のマッサージチェアと同様、着座した施療者に対して様々なマッサージを施すマッサージ手段（マッサージユニット）が組み込まれている。例えば、背もたれ部４の中央には、転動および揺動するローラを具備したマッサージローラユニット５５（図４参照）が組み込まれるとともに、背もたれ部４の左右両側部には、空気の給排によって膨縮動して座部２に着座した施療者の背中および腰を押圧マッサージする複数の背部エアバック１０Ａおよび腰部エアバック１０Ｂ（本実施形態では、左右一対の背部エアバック１０Ａおよび左右一対の腰部エアバック１０Ｂ）が設けられている。
【００２１】
なお、上記したマッサージ手段は、後述する背もたれ部４の基体となるバックパネル８に関連して配設されており、前記マッサージローラユニット５５は、バックパネル８の背面側に設置され、各エアバック１０Ａ，１０Ｂは、バックパネル８の表面側（詳細には、表面側を覆うカバー部材１５）に設置される。もちろん、上記した以外の箇所にマッサージ手段を組み込んでいても良く、例えば、脚保持部５に、脚部に対してマッサージを施すような脚部エアバック等のマッサージユニット（図示せず）が組み込まれても良い。
【００２２】
前記背もたれ部４は、バックパネル８（図４参照）と、バックパネル８を覆うカバー部材１５（図１および図３参照）と、施療者の頭部を両側から支える頭部支持体１１，１１とを有する。カバー部材１５および頭部支持体１１，１１はバックパネル８の表側に対して着脱自在であり、図１の完成状態から頭部支持体１１，１１およびカバー部材１５が（あるいは、後述する裏面カバーが存在する場合には、その裏面カバーも）取り外された状態が図４に示されている。
【００２３】
前記カバー部材１５は、比較的柔らかい素材で形成されており、マッサージローラユニット５５が背もたれ部４の表面から露出しないように、バックパネル８を覆うように被着される。また、カバー部材１５の特にマッサージローラユニット５５が位置される中央領域１５ａ（カバー部材の内側領域）は、施療者の背中に沿うような形状に裁断されており、背もたれ部４の表面においてマッサージローラユニット５５の動きを施療者に伝え易いような素材、例えば、ベロアのような繊維状の素材、レザー、合成皮革、塩化ビニル樹脂等によって形成されている。一方、それ以外のカバー部材１５の領域（後述する収納部２０，４０よりも外側に位置する外側領域１５ｂ，１５ｂを含む）は、例えば、レザー、合成皮革、塩化ビニル樹脂等によって形成されている。
【００２４】
前記バックパネル８は、施療者の背中に沿って上下方向に形成された略矩形状の開口８ａを有する樹脂製のフレームから成り、このバックパネル８上に前述したカバー部材（表面カバー）１５が着脱自在に装着される。このとき、開口８ａの表側を覆うようにカバー部材１５の前記内側領域１５ａが位置され、また、開口８ａ部分に前記マッサージローラユニット５５が配置される（図４参照）。なお、バックパネル８の裏側には、開口８ａの裏側を覆うようにポリアミド樹脂等から成る裏面カバー（図示せず）が止着されても良い。その場合、裏面カバーには、マッサージローラユニット５５によって駆動されるアームの先端に支持されたローラ対５５ａが接触する。
【００２５】
また、背もたれ部４は、着座した施療者の背中を支える部分でもあることから、図４に示されるように、バックパネル８の開口８ａには、これを横切るように上下方向および左右方向に支持ベルト２９ａ，２９ｂが張設されている。すなわち、このような支持ベルト２９ａ，２９ｂが張設されることにより、施療者が着座した際に、背もたれ部４のバックパネル８の開口８ａに背中が落ち込むことが防止される。
【００２６】
図３に示されるように、カバー部材１５の裏面側には、前記背部エアバック１０Ａおよび腰部エアバック１０Ｂを挿脱自在に収納する収納部２０，４０が設けられている。各収納部２０，４０は、所定のマッサージ位置に対応して設けられており、具体的には、背部エアバック１０Ａが上側の左右に位置される背部用収納部２０，２０内に収納され、腰部エアバック１０Ｂが下側の左右に位置される腰部用収納部４０，４０内に収納されるようになっている。
【００２７】
各収納部２０，４０は、カバー部材１５の裏側の左右両側に配設された袋体２０ａ，４０ａによって構成されている。この場合、袋体２０ａ，４０ａは、エアバックが収納し易いようにその一部、具体的に本実施形態では、上方側が開口しており、これらの開口部２２，４２からエアバック１０Ａ，１０Ｂを挿脱できるようになっている。そして、このような袋体の構造では、エアバッグ挿入後に、開口部２２，２４からエアバックが飛び出さないように、開口を小さく絞れるゴムを装着しておくことが望ましい。また、袋体の内部には、補強、及び保形が図れるように、樹脂プレート等を設置しておくことが望ましい。すなわち、このように構成しておくことで、エアバッグの挿脱時における作業性の向上が図れるようになる
また、本実施形態の袋体２０ａ，４０ａは、カバー部材１５の外側領域１５ｂ，１５ｂに面するその外側縁部が、所定の長さにわたってカバー部材１５に対して接合され（本実施形態では、縫い付けられ或いは接着され）ており、収納されているエアバック１０Ａ，１０Ｂの膨張時に、各収納部２０，４０（袋体２０ａ，４０ａ）は、その接合部２７（図３に破線で示されている）を動作軸として回動できるようになっている。
【００２８】
このため、座部２に着座した施療者は、エアバック１０Ａ，１０Ｂの膨張時に、背骨側から外側に向かうようなマッサージ作用を受けることが可能となる。なお、袋体２０ａ，４０ａは、変形可能な材料、例えば、レザー、樹脂、繊維状の物質で形成されている。
【００２９】
また、収納部２０，４０内に収納されるエアバック１０Ａ，１０Ｂにはそれぞれ空気給排チューブ６５が接続されており、この空気給排チューブ６５は、バックパネル８に設けられたチューブ導入孔６６（図２および図４参照）を通じてバックパネル８の裏側に導かれ、バックパネル８の裏側に設置された図示しない空気給排手段（コンプレッサ等）に接続されている。この場合、空気給排手段は、所定の動作プログラムを格納した制御部によって、各エアバック１０Ａ，１０Ｂに対する給排のタイミングや空気の供給／排出レベル等が制御されるようになっており、実際の制御は、公知技術と同様、施療者によって操作されるコントローラによって行なわれるようになっている。
【００３０】
また、カバー部材１５は、所定の取り付け手段を介してバックパネル８に着脱自在に取り付けられるようになっている。本実施形態において、この取り付け手段は、図３に示されるようにカバー部材１５に固着され且つカバー部材１５の内側領域１５ａの少なくとも両側（本実施形態では、左右両側および上下の少なくとも一方）に沿って延在するストリップ６０と、図５に示されるように、バックパネル８の裏側に設けられ、且つ前記ストリップ６０の長手方向に沿って設けられた複数のスリット６２が引っ掛けられる複数のフック６４とから構成されている。
【００３１】
このような取り付け手段では、図２に示されるように、バックパネル８の表側にカバー部材１５を装着した状態で（カバー部材１５の表側を背もたれ部４の表面に露出させ且つカバー部材１５の裏側の収納部２０，４０をバックパネル８に面接させた状態で）、図６に示されるようにバックパネル８の開口８ａを通じて、ストリップ６０をバックパネル８の裏側に導出し（折り返し）て、ストリップ６０の各スリット６２をフック６４に引っ掛ければ、カバー部材１５をバックパネル８に対して容易に装着できる。
【００３２】
また、本実施形態では、図７に示されるように、座部２にも、背もたれ部４と同様な収納部が設けられている。すなわち、座部２には、２つの長さの異なる腿部エアバック７０Ａ，７０Ｂを挿脱自在に収納できるように対応する収納部４２Ａ，４２Ｂが設けられている。
【００３３】
以上説明したように、本実施形態のマッサージチェア１によれば、カバー部材１５に収納部を設け、これらの収納部２０，４０にエアバック１０Ａ，１０Ｂを挿入するだけで背もたれ部４に対してエアバック１０Ａ，１０Ｂを取り付けることができるため、エアバック１０Ａ，１０Ｂの装着が容易に行えるようになる。すなわち、マッサージユニットを構成するエアバックの組み付け作業性が優れるとともに、メンテナンス等による交換作業も容易に行えるようになる。また、本実施形態によれば、従来のように、バックパネル８ではなく、バックパネル８を覆うカバー部材１５にエアバック用の収納部２０，４０が設けられているため、エアバック１０Ａ，１０Ｂの取り付けのための加工をバックパネル８に施す必要がなく、また、エアバック１０Ａ，１０Ｂのための固定具も不要となるため、マッサージチェア１の製造コストを低く抑えることも可能となり、経済性にも優れる。
【００３４】
また、本実施形態によれば、収納部２０，４０の配設形態に起因して（図３に示すように、各収納部２０，４０が接合部２７を動作軸として回動できるようになっている）、各エアバック１０Ａ，１０Ｂが、背もたれ部４の左右両側に位置し、しかも、背もたれ部４の内側から外側へ向かってエアバック１０Ａ，１０Ｂが押し開くように膨張しつつ動くため、良好で且つ効果的な押圧マッサージを行うことができる。
【００３５】
また、本実施形態によれば、カバー部材１５に対して一方側端縁だけが接合される袋体２０ａ，４０ａによって収納部２０，４０が構成されるため、収納部２０，４０を簡単且つ安価に実現できるとともに、上記のような内側領域１５ａから外側領域１５ｂへのエアバック１０Ａ，１０Ｂの動きを簡単且つ効果的に行うことができる。
【００３６】
また、本実施形態によれば、着脱自在な前記取り付け手段、具体的には、ストリップ６０とフック６４とによってバックパネル８に対するカバー部材１５の取り付け及び取り外しが可能になり、また、前記取り付け手段による取り付けによってバックパネル８に対してカバー部材１５を安定的に保持させることもできるため、作業性の向上が図れる。すなわち、ストリップ６０のスリット６２をフック６４に引っ掛けるだけでカバー部材１５をバックパネル８に取り付けることができるため、バックパネル８に対するカバー部材１５の装着が容易に行える。
【００３７】
更に、本実施形態によれば、腿部エアバック７０Ａ，７０Ｂを挿脱自在に収納できる収納部４２Ａ，４２Ｂが座部２に設けられているため、施療者の背中や腰に加えて腿部もマッサージすることができ、多面的なマッサージ作用を与えることができる。
【００３８】
以上、本発明の実施形態について説明したが、本発明は、上記した実施形態以外に、適宜変形することが可能である。例えば、エアバックを収納する収納部については、カバー部材１５に設けられていれば良く、カバー部材に対する装着位置や個数、大きさ等については、上記した実施形態に限定されることはない。また、カバー部材に対する収容体の取り付け方法については、エアバックが膨張した際、その膨張方向（マッサージ方向）を変えることができるため、施療者に対するマッサージ方向を考慮して、適宜変形することができる。さらに、バックパネルに対してカバー部材を着脱自在に取り付けるための取り付け手段については、面ファスナを用いる等、適宜変形することが可能である。
【符号の説明】
【００３９】
１  マッサージチェア
２  座部
４  背もたれ部
８  バックパネル
１０Ａ  背部エアバック
１０Ｂ  腰部エアバック
１５  カバー部材
２０，４０，４２Ａ，４２Ｂ  収納部
２０ａ，４０ａ  袋体
３０  接合部
６０  ストリップ
６２  スリット
６４  フック
７０Ａ，７０Ｂ  腿部エアバック
【図１】
2011104090.tif 000003
【図２】
2011104090.tif 000004
【図３】
2011104090.tif 000005
【図４】
2011104090.tif 000006
【図５】
2011104090.tif 000007
【図６】
2011104090.tif 000008
【図７】
2011104090.tif 000009